(57)【特許請求の範囲】
【請求項１】
光を発する光源と、
外面を有する中空の伝熱部材と、
前記外面の少なくとも一部を前記外面に沿って覆い、前記光源の発する光を導光する導光部材と、
前記伝熱部材の外部に設けられる円筒状の口金と、
前記伝熱部材の内部に設けられた蓄電池と、
少なくとも一部が前記口金の内部に設けられ、前記光源に電源を供給する電源手段と、を備える照明装置。
【請求項２】
前記導光部材は、接着部材を介して前記伝熱部材の前記外面に固定される請求項１に記載の照明装置。
【請求項３】
前記光源は、前記口金の円の中心を通る中心軸上に位置する請求項１乃至２いずれか１項に記載の照明装置。
【請求項４】
前記伝熱部材は、前記中心軸を中心として前記口金に対して回動可能である請求項１乃至３いずれか１項に記載の照明装置。
【請求項５】
前記導光部材は、前記光源が発する光を前記伝熱部材の外面に沿って導光するとともに、前記光を外部に放出する請求項１乃至４いずれか１項に記載の照明装置。
【発明の詳細な説明】
【技術分野】
【０００１】
本発明の実施形態は、照明装置に関する。
【背景技術】
【０００２】
一般に、ＬＥＤを用いた照明装置は、光を発生するＬＥＤを基台の一面に配置し、ＬＥ
Ｄを覆うようにして球状のグローブを設けて、ＬＥＤからの光を外部に拡散・放出してい
る。このような照明装置では、ＬＥＤからの熱を基台に伝熱し、基台の外気に接している
他の表面（放熱面）から外部へと放熱している。
【０００３】
ＬＥＤを用いた照明装置では、一般のフィラメント等を用いた照明装置（白熱電球等）
と同程度の全光束（ＬＥＤが発する光の明るさの程度を示す尺度）の実現が求められてい
る。
【０００４】
全光束を増加させるためには、より高輝度のＬＥＤを用いることが必要なので、それだ
けＬＥＤからの発熱量が増加する。ＬＥＤが発する熱は、ＬＥＤの素子自体や、電源回路
等の回路基板等に影響を与え、これらＬＥＤの素子や回路基板等の性能に劣化が生じるこ
とになるので、照明装置の放熱性能を向上させるためには、基台の放熱面の表面積を増加
させる必要がある。
【０００５】
したがって、放熱性能を向上させるためには、照明装置のサイズを大きくする必要があ
る。
【先行技術文献】
【特許文献】
【０００６】
【特許文献１】特開２０１０−１９８８０７号公報
【発明の概要】
【発明が解決しようとする課題】
【０００７】
照明装置のサイズを大きくすることなく、放熱性能を向上させた照明装置を提供する。
【課題を解決するための手段】
【０００８】
実施形態の照明装置は、光を発する光源と、外面を有し、前記光源が前記外面に載置さ
れる中空の伝熱部材と、前記光源と、前記外面の少なくとも一部とを、前記外面に沿って
覆う導光部材とを備える。
【図面の簡単な説明】
【０００９】
【図１】第一の実施形態に係る照明装置の構成図。
【図２】第一の実施形態に係る照明装置に用いる装着部材の回動機構の例を示す構成図。
【図３】第一の実施形態に係る照明装置に用いる第１部材の機能の説明図。
【図４】第一の実施形態に係る照明装置に用いる導光部材の機能の説明図。
【図５】第一の実施形態に係る照明装置の周囲の空気の流れの説明図。
【図６】第一の実施形態に係る照明装置の第１変形例を示す構成図。
【図７】第一の実施形態に係る照明装置の第２変形例を示す構成図。
【図８】第二の実施形態に係る照明装置の構成図。
【図９】第三の実施形態に係る照明装置の構成図。
【図１０】グローブ部の変形例を示す構成図。
【発明を実施するための形態】
【００１０】
以下、発明を実施するための実施形態について説明する。
【００１１】
（第一の実施形態）
図１は、第一の実施形態に係る照明装置１００の構成図である。なお、図１（a）は照
明装置１００の外形図、図１（b）は図１（a）における軸（Ａ−Ａ線）を含む面で照明装
置１００を切断した断面図、図１（c）は図１（a）における矢印X方向に照明装置１００
を俯瞰した図、図１（d）は図１（b）における破線で囲まれた領域（S１）の拡大図であ
る。
【００１２】
以下、照明装置１００の構成について詳細に説明する。
【００１３】
本実施形態では、例として室内の天井等に設けられたソケットに照明装置１００が装着
される場合を想定する。また、この際、重力方向を下側、照明装置１００を基準に天井方
向を上側と定義する。
【００１４】
図１（a）の照明装置１００は、照明装置１００が照明として機能する際に、表面から
光が出射するグローブ部１０と、照明装置１００を、図示しないソケットに対して、例え
ば螺合等により固定する際に、電気的かつ機械的な接続部分となる口金部２０を備える。
なお、本実施形態においては、照明装置１００は、図１（a）における軸を中心に対称形
状を有する。以下では、この軸（照明装置１００の対称軸）を照明装置１００の中心軸と
呼ぶ。
【００１５】
図１に示すように、照明装置１００の中心軸方向と重力方向を一致させてソケットに装
着された状態では、照明装置１００は口金部２０が上側に位置し、グローブ部１０が下側
に位置する。室内の電源等によりソケットに対して給電されると、グローブ部１０の表面
から光が出射し、照明装置１００は照明として機能する。
【００１６】
（グローブ部）
グローブ部１０は、図１（b）に示すように、中空の伝熱部材１１と、伝熱部材１１の
形状に沿って、伝熱部材１１を覆うように設けられる導光部材１２と、伝熱部材１１の表
面に載置される光源１３と、導光部材１２と接触し導光部材１２を介して光源１３に対向
して設けられる第１部材１４とを備える。
【００１７】
伝熱部材１１は、光源１３が発する熱を伝熱部材１１の内部で熱伝導するとともに、一
部の熱を導光部材１２に伝熱する部材である。伝熱部材１１は、例えば図１に示すような
一般的な電球形状を有する。具体的には、伝熱部材１１は、図中に示すように球状の頭部
１１aと、円錐台形状の胴部１１bとが一体に形成されている。胴部１１bは中心軸方向の
一端に開口を有する。なお、伝熱部材１１の材質としては、例えばアルミニウム等の熱伝
導性に優れる金属材料を用いることが好ましい。また、伝熱部材１１の内部には空気が満
たされているが、大気圧よりも低い減圧雰囲気であってもよい。以下では、伝熱部材１１
の中空側の面を第１内面、この第１内面とは反対の面を第１外面（表面）と定義する。
【００１８】
導光部材１２は、例えばガラスや合成樹脂等の光透過性の部材であり、内部で光を導光
する。導光部材１２の形状としては、伝熱部材１１と同様に、球状の頭部１２aと円錐台
形状の胴部１２bとを有する。以下では、導光部材１２の伝熱部材１１の第１外面に直接
的、または後述のシート（図示せず）を介して間接的に接触する面を第２内面、この第２
内面とは反対の面を第２外面（表面）と定義する。導光部材１２の第２内面または第２外
面には、光を散乱させるために、例えばシルク印刷や切り込み等により形成される散乱マ
ーク３０が全面に渡って設けられている。
【００１９】
なお、伝熱部材１１の第１外面と導光部材１２の第２内面とは、熱伝導性に優れる伝熱
性のサーマルグリスや接着材等（例えば、熱伝導率1.0〜100W/mK）により張り合わせる（
接触させて固定する）ことができる。これは、後述するように、導光部材１２を介して伝
熱部材１１の熱を照明装置１００の外部に放出する際、伝熱部材１１と導光部材１２との
間の接触熱抵抗は小さいほど好ましいためである。
【００２０】
また、照明装置１００が照明として機能する際には、導光部材１２は、光源１３の付近
が高温（１２５℃程度）になるために、材質としては、耐熱性に優れるポリカーボネイト
（可視光透過率９０％）やシクロオレフィンポリマー（可視光透過率９２％）等を用いる
ことが好ましい。
【００２１】
光源１３は、一方の面にＬＥＤ等の発光素子（図示せず）が１つまたは複数実装される
板状の基板を有するチップであり、例えば白色光等の可視光を発生する。一例として、波
長450nmの青紫色光を発生する発光素子を用いる場合、この発光素子を、青紫色光を吸収
して波長560nm近傍の黄色光を発生する蛍光体を含む樹脂材等で封止することにより、青
紫色光と黄色光が混合し、結果として光源１３は白色光を発生する。
【００２２】
光源１３は、基板の発光素子が設けられている面とは逆の面を、電気絶縁性を有し、か
つ熱伝導性に優れる伝熱性のシート（図示せず）を介して接するように伝熱部材１１の第
１外面に設けられることが好ましい。これは、後述するように、光源１３が発する熱を伝
熱部材１１に伝えるためには、光源１３と伝熱部材１１との間の接触熱抵抗は小さいほど
好ましく、また、光源１３と伝熱部材１１とは、電気的に絶縁関係であることが好ましい
ためである。また、このとき光源１３の発光素子が設けられる面は、導光部材１２の第２
内面に接触させる。
【００２３】
このように、光源１３は伝熱部材１１の第１外面に載置されるために、照明装置１００
の設計段階においては、伝熱部材１１と導光部材１２との間の中で適宜光源１３の設置位
置を決めることができるので、光源１３の配置位置の自由度が増す。
【００２４】
本実施形態では、照明装置１００をソケットに装着した状態において、光源１３は、伝
熱部材１１と導光部材１２との間の中で、照明装置１００の中心軸方向（すなわち、重力
方向）の最下部に位置する先端、さらに詳細には球状の頭部１１aの先端に設けられる。
【００２５】
後述するように、照明装置１００の周囲を流れる空気は、自然対流により重力逆方向に
流れていくが、このように重力方向の先端に光源１３を設けることで、より低温の空気に
よって効率的にグローブ部１０を冷却することができる。
【００２６】
第１部材１４は、光源１３から導光部材１２内に入射した一部の光を導光部材１２内に
反射し、かつ残りの光を照明装置１００の外部空間に透過する部材である。第１部材１４
は、伝熱部材１１と導光部材１２が固定された状態において、導光部材１２と接触し、か
つ導光部材１２を介して光源１３に対向する位置に、湾曲面を光源１３に向けて設けられ
る。第１部材１４としては、例えばビームスプリッターを用いることができる。
【００２７】
なお、第１部材１４としては、光源１３からの一部の光を導光部材１２内に反射すれば
よく、ビームスプリッターの代わりに、乳白色のガラスや乳白色のアクリル、乳白色のポ
リカーボネイト等の光を散乱させる部材を用いることもできる。この場合には、散乱光の
うちの一部の光が導光部材１２内に反射される光となる。
【００２８】
（口金部）
口金部２０は、図１（b）に示すように、伝熱部材１１の開口に設けられる導電性の装
着部材２１と、装着部材２１の内部に設けられ、光源１３に対して電力を供給するための
電源回路２２とを備える。
【００２９】
装着部材２１は、ソケットに装着するためのめねじ、またはおねじが表面に形成された
部材である。本実施形態では、装着部材２１は、一端が開口し、ソケットに対して装着す
る際の回転中心となる回転軸を有する中空円筒状である。材質としては、導電性のアルミ
ニウム等の金属材料を用いることが好ましい。なお、本実施形態では、装着部材２１の回
転軸は、照明装置１００の中心軸と一致している。
【００３０】
電源回路２２は、装着部材２１の内部に固定される例えば樹脂製のケース２３に封入さ
れて設けられ、ソケットから供給される電力を、光源１３に対して供給する。具体的には
、室内のソケットから交流電圧が印加されるので、電源回路２２は、交流電圧（例えば、
１００Ｖ）を受けて、直流電圧に変換した後に光源１３に対してこの直流電圧を印加する
。なお、装着部材２１と電源回路２２とは電気的に接続されている。また、電源回路２２
と光源１３とは、配線２５により電気的に接続されている。
【００３１】
なお、室内のデザインによっては、照明装置１００をソケットに装着する際、照明装置
１００の中心軸方向と重力方向が一致しないことも考えられる。この場合には、光源１３
は必ずしも照明装置１００の中心軸方向の先端に設けられなくともよく、ソケットに装着
された状態において、伝熱部材１１の重力方向の先端に設けられることが好ましい。この
ときには、伝熱部材１１と装着部材２１とは電気的に絶縁関係にあり、かつ伝熱部材１１
は、回転軸を中心に装着部材２１に対して回動可能に接続される。
【００３２】
これにより、照明装置１００をソケットに装着する際、照明装置１００の中心軸方向と
重力方向が一致しない場合に、ユーザが例えば手動でグローブ１０を回動することで、光
源１３の位置を伝熱部材１１の重力方向の先端に近づけることができる。
【００３３】
図２は、装着部材２１の回動機構の一例を示す図である。なお、図２は、図１（b）に
おける破線で囲まれた領域（S２）の拡大図である。図２の例では、伝熱部材１１の第１
内面に設けられる第１嵌合部材２４aと、装着部材２１の内部に固定されるケース２３に
設けられる第２嵌合部材２４bとが嵌合することで装着部材２１の回動が実現される。こ
のとき、ストッパー（図示せず）を設けることで、回動角度を所定の範囲で制限すること
も可能である。
【００３４】
（機能の説明）
以下、図３乃至図７を参照して、照明装置１００の機能について詳細に説明する。
【００３５】
図３は、第１部材１４の機能を説明する図である。図４は、導光部材１２の機能を説明
する図、図５は、照明装置１００の周囲の空気の流れを説明する図である。
【００３６】
室内の天井等に設けられるソケットに照明装置１００の口金部２０が装着された状態で
、室内の電源等によりソケットに対して給電されると、口金部２０の部材２１を介して電
源回路２２に対して交流電圧が供給される。さらに、電源回路２２を介して光源１３に対
して定電流が供給される。これにより光源１３は光を照射する。
【００３７】
光源１３から照射される光は、光源１３に対向する位置に設けられる第１部材１４に入
射する。そして、一部の光は、第１部材１４を直進、または第１部材１４により屈折され
て、照明装置１００の外部空間へ透過される（図３）。
【００３８】
また、一部の光は、導光部材１２と第１部材１４との界面において反射し、導光部材１
２内へ入射される。このうち導光部材１２と外部空間との界面における全反射条件（反射
角θ＞臨界角θm）を満たす光は、導光部材１２と外部空間との界面、及び導光部材１２
と伝熱部材１１との界面において全反射を繰り返しながら、導光部材１２内を導光（伝播
）していく（図４（a））。
【００３９】
散乱マーク３０により散乱され、上記の全反射条件を満たさない光は、導光部材１２と
外部空間との界面において全反射することなく、導光部材１２から外部空間へ射出される
。これにより、導光部材１２の第２外面、すなわちグローブ部１０の表面全体から光が射
出される（図４（b））。
【００４０】
このとき、光源１３には発光素子の発光に伴い熱が発生する。この熱は、光源１３から
シートを介して伝熱部材１１に伝わる。そして、伝熱部材１１に伝わった熱は、伝熱部材
１１内を伝熱する。さらに、伝熱部材１１内を伝熱する熱は、伝熱部材１１から導光部材
１２に伝わる。この際、前述のように光源１３と伝熱部材１１との間、及び伝熱部材１１
と導光部材１２との間はそれぞれ熱伝導性に優れる部材により熱的に接続されており、効
率的に伝熱させることができる。
【００４１】
また、光源１３は導光部材１２と接触しているので、伝熱部材１１を介さずに直接導光
部材１２へ伝熱させることができる。
【００４２】
以上のように導光部材１２に伝わる熱は、導光部材１２の第２外面から照明装置１００
の外部空間に放熱される。この際、導光部材１２の第２外面全体で放熱が行えるため、広
い面積からの放熱により、照明装置１００から効率的に熱を排出することができる。
【００４３】
なお、本実施形態では、導光部材１２は、伝熱部材１１の第１外面の全体を覆う構成を
例に説明したが、伝熱部材１１の一部（例えば、頭部１１aのみ）を覆う構成であっても
よいが、この場合には、導光部材１２の第２外面からの放熱に加え、伝熱部材１１の第１
外面から直接放熱することもできる。
【００４４】
導光部材１２からの放熱には、導光部材１２の熱抵抗が影響する。厚さl（ｍ）、表面
積A（m2）、熱伝導率k（W/mK）の平板の熱抵抗R（K/W）は、l/（kA）で与えられる。導光
部材１２からの放熱を阻害しないためには、熱抵抗Rを3（K/W）以下にすることが好まし
い。
【００４５】
例えば、導光部材１２の厚さl=0.005（ｍ）、表面積A=0.01（ｍ2）の場合、ポリカーボ
ネイトやアクリル（熱伝導率k≒0.2（W/mK））であれば熱抵抗は2.5（K/W）程度、ガラス
（熱伝導率k≒1.25（W/mK））であれば0.4（K/W）程度となる。
【００４６】
照明装置１００から排出された熱は、照明装置１００の周囲の温度を暖める。そして、
図５に示すように、暖められた空気は自然対流により、照明装置１００の周囲に沿ってグ
ローブ部１０の表面、口金部２０の表面を経て、上側、すなわち重力逆方向へ上昇してく
。この空気の流れにより、照明装置１００の表面はさらに冷却される。
【００４７】
この際、照明装置１００の周囲に沿って、空気が上側へ流れて行くにつれ、流れる空気
の温度は徐々に上昇していく。すなわち、グローブ部１０の重力方向の先端付近の上流側
の空気の温度が最も低く、口金部２０に近づくにつれ下流側の空気の温度が上昇していく
。一方で、グローブ部１０においては、光源１３の付近が最も高温になる。
【００４８】
照明装置１００から熱を排出する熱伝達には、照明装置１００の表面の温度と、周囲の
空気の温度との差（以下、温度差ΔT）が影響する。すなわち、熱伝達により排出される
熱量は、温度差ΔTに比例する。
【００４９】
したがって、本実施形態のように、光源１３を伝熱部材１１の重力方向の先端に設ける
ことで、下流側に設ける場合と比較して、ΔTを大きくすることができ、上流側のより低
温の空気によって効率的にグローブ部１０を冷却することができる。
【００５０】
さらに、光源１３はグローブ部１０の比較的表面に近い場所に設けられているために、
光源１３からの熱の大部分を、直接導光部材１２から外部に排出することができ、効率的
にグローブ部１０を冷却することができる。
【００５１】
また、本実施形態では、光源１３の配置位置は、照明装置１００の中心軸方向の先端で
あるために、光源１３からの光が対称性をもって導光部材１２内を導光していくことで、
導光部材１２の全面に渡って輝度分布を一様に近づけることができる。すなわち、導光部
材１２の第２外面内での輝度分布の偏りを低減させることができる。
【００５２】
なお、本実施形態の照明装置１００は、伝熱部材１１に光源１３を設けた状態で、中心
軸を含む断面で２つに分割されている導光部材１２を、それぞれ伝熱部材１１に接着する
とともに、分割された導光部材１２の断面を同様に、サーマルグリスや接着剤等により貼
り合わせることで作製することができる。
【００５３】
なお、光源１３と導光部材１２との間は接触する場合を例に説明したが、図６に示す第
１変形例のように、光源１３と導光部材１２との間に空間を隔てて対向する構成であって
もよい。この場合には、例えば伝熱部材１１に、光源１３と導光部材１２との間の空間と
、伝熱部材１１の内部の空間とを連通する開口４０を設けることで、光源１３の熱により
温度が上昇する空気を伝熱部材１１の内部に循環させ、図示しない開口を通して照明装置
１００の外部空間へ放出することで、この高温の空気をすぐさま光源１３から離すことが
できる。
【００５４】
また、第１部材１４としては、光源１３からの一部の光を透過することのできる材料を
用いる例を説明したが、例えば金属材料等を用いることもできる。この場合には、第１部
材１４の直下には光は照射されないが、より高光度の光を導光部材１２内に導光させるこ
とができる。また、図７に示す第２変形例のように、光源１３からの光が導光部材１２の
第２内面（または第２外面）に沿って入射するように、光源１３を伝熱部材１１の側面に
設けることもできる。この場合には、必ずしも第１部材１４を設ける必要はない。
【００５５】
本実施形態の照明装置１００によれば、光源１３が伝熱部材１１と導光部材１２の間に
設けられるために、効率的に放熱を行うことができ、照明装置１００の放熱性能を向上さ
せることが可能となる。
【００５６】
また、背景で述べたような一般的なＬＥＤ照明装置と比較して、光源を支持するための
基台を別途設ける必要がないために、グローブ部１０の表面積を増やすことができ、その
分だけ配光角を向上させることができる。また、光源１３を電源回路２２から離すことで
、電源回路２２の温度上昇を防ぐことができる。
【００５７】
（第二の実施形態）
図８は、第二の実施形態に係る照明装置２００の構成図である。なお、図８（a）は照
明装置２００の外形図、図８（b）は図８（a）における軸（Ｂ−Ｂ線）を含む面で照明装
置２００を切断した断面図、図８（c）は図５（a）における矢印Y方向に照明装置２００
を俯瞰した図である。
【００５８】
照明装置２００は、グローブ部１０が第２部材１５を備える点で、第一の実施形態の照
明装置１００とは異なる。なお、第一の実施形態の照明装置１００と同一の構成について
は同一の符号を付すことで説明を省略する。
【００５９】
第２部材１５は、導光部材１２の不連続部（頭部１２aと胴部１２bとの境界）の近傍の
第２外面に設けられ、頭部１２a内を導光した後、胴部１２b内に進入する一部の光を胴部
１２b内に反射し、かつ一部の光を拡散して外部空間に透過する部材である。第２部材１
５は、胴部１２b内に進入する光の胴部１２bと外部空間との界面における反射角を、全反
射条件を満たすように変化させる。
【００６０】
なお、第２部材１５としては、第１部材１４と同様に、例えばビームスプリッターを用
いることができる。また、ビームスプリッターの代わりに、乳白色のガラスやアクリル、
ポリカーボネイト等を用いることもできる。
【００６１】
導光部材１２の不連続部においては、全反射条件を満たして頭部１２a内を導光してい
た光が、頭部１２aとは不連続に接続される胴部１２bに対して入射する際に全反射条件を
満たさなくなることが考えられる。
【００６２】
そこで、このような不連続部に第２部材１５を設けることで、胴部１２b内に進入する
光の、導光部材１２と外部空間との界面における反射角を変化させる。これにより、胴部
１２bに進入する光は、再び全反射条件を満たし、胴部１２b内を導光する。
【００６３】
なお、頭部１２aの曲率が大きい場合にも、不連続部を有する場合と同様に導光が妨げ
られることが考えられる。この際には、頭部１２aの第２外面に、部分的に第２部材１５
を設けることもできる。
【００６４】
本実施形態の照明装置２００によれば、光の反射角が変化し全反射条件を満たさなくな
る位置に第２部材１５を設けることで、導光部材１２内での導光を補助することができる
。これにより、導光部材１２の全面に渡り光の輝度分布を一様に近づけることが可能とな
る。
【００６５】
（第三の実施形態）
図９は、第三の実施形態に係る照明装置３００の構成図である。なお、図９（a）は照
明装置３００の外形図、図９（b）は図９（a）における軸（C−C線）を含む面で照明装置
３００を切断した断面図、図９（c）は図９（a）における矢印Z方向に照明装置３００を
俯瞰した図である。
【００６６】
照明装置３００は、グローブ部１０の伝熱部材１１及び導光部材１２が、１つまたは複
数の第１貫通孔１６a及び第２貫通孔１６bを有する点で、第一の実施形態の照明装置１０
０とは異なる。なお、第一の実施形態の照明装置１００と同一の構成については同一の符
号を付すことで説明を省略する。
【００６７】
本実施形態では、伝熱部材１１及び導光部材１２がそれぞれ１つ、または複数の第１貫
通孔１６a及び第２貫通孔１６bを有する。第１貫通孔１６aは、伝熱部材１１及び導光部
材１２を貫通し、伝熱部材１１の中空内に空気が流入する。また、第２貫通孔１６bは、
同様に伝熱部材１１及び導光部材１２を貫通し、伝熱部材１１の中空内から外部空間に空
気が流出する。なお、第１貫通孔１６aは、伝熱部材１１及び導光部材１２の重力方向の
先端の近くに設けることが好ましい。これにより、空気は自然対流により、照明装置３０
０の周囲に沿って、重力方向の先端付近から上側に上昇していくため、伝熱部材１１の中
空内に空気が流入しやすくなる。
【００６８】
第１貫通孔１６aを通って、自然対流により伝熱部材１１の内部には、低温の空気が流
入するために、伝熱部材１１内部の空気温度は低下し、伝熱部材１１の第１外面だけでな
く、伝熱部材１１の第１内面も放熱面として機能する。伝熱部材１１の内部に流入し、温
められた空気は第２貫通孔を通って照明装置３００の外部空間へ流出する。
【００６９】
これにより、照明装置３００の放熱性能を向上させることができる。なお、伝熱部材１
１の第１内面には、放熱面積を拡大するフィン等（図示せず）が設けられても良い。
【００７０】
以上の実施形態では、一般的な電球形状（球状の頭部及び円錐台形状の胴部）を有する
グローブ部１０を用いることを例に説明したが、図１０に示すように、グローブ部１０が
球状の照明装置（図１０（a））や、グローブ部１０が円柱状の照明装置（図１０（ｂ）
）等、様々な形状を用いても良い。
【００７１】
また、配光に非対称性を持たせるために、例えば照明装置の中心軸に対して垂直な断面
を楕円形状のグローブ部１０を用いても良い。
【００７２】
また、照明装置の伝熱部材１１の内部に、蓄電池を設けても良い。これにより、通電時
に充電することで、照明装置は、停電時においても一定時間発光を維持することができる
。その他、照明装置の伝熱部材１１の内部には、火災時に消火材を噴射する噴射機構等を
設けても良い。
【００７３】
以上説明した少なくとも１つの実施形態の照明装置によれば、照明装置のサイズを大き
くすることなく、放熱性能を向上させることが可能となる。
【００７４】
これら実施形態は、例として提示したものであり、発明の範囲を限定することは意図し
ていない。これら実施形態は、その他の様々な形態で実施されることが可能であり、発明
の要旨を逸脱しない範囲で、様々の省略、置き換え、変更を行うことができる。これら実
施形態やその変形は、発明の範囲や要旨に含まれると同時に、特許請求の範囲に記載され
た発明とその均等の範囲に含まれるものである。
【００７５】
以下に、本願原出願の特許査定時の特許請求の範囲に記載された発明を付記する。
【００７６】
［１］光を発する光源と、
外面を有し、前記光源が前記外面に載置される中空の伝熱部材と、
前記光源と、前記外面の少なくとも一部とを、前記外面に沿って覆う導光部材と、
を備え、
前記伝熱部材の一部に設けられる円筒状の口金であって、円の中心を通る中心軸を有す
る口金を備え、
前記伝熱部材は、前記中心軸を中心として前記口金に対して回動可能である照明装置。
【００７７】
［２］光を発する光源と、
外面を有し、前記光源が前記外面に載置される中空の伝熱部材と、
前記光源と、前記外面の少なくとも一部とを、前記外面に沿って覆う導光部材と、
前記伝熱部材の一部に設けられる円筒状の口金であって、円の中心を通る中心軸を有す
る口金を備え、
前記光源が前記中心軸上に位置し、
前記導光部材は前記光源と対向する箇所に平面部を有する照明装置。
【００７８】
［３］光を発する光源と、
外面を有し、前記光源が前記外面に載置される中空の伝熱部材と、
前記光源と、前記外面の少なくとも一部とを、前記外面に沿って覆う導光部材と、
前記伝熱部材の一部に設けられる円筒状の口金であって、円の中心を通る中心軸を有す
る口金を備え、
前記光源が前記中心軸上に位置し、
前記導光部材は、前記外面と直接的にまたは間接的に接触する内面とこの内面とは反対
にある第二の外面を有し、
前記内面または前記第二の外面の全面に渡って設けられた散乱マークと、
を備える照明装置。
【００７９】
［４］光を発する光源と、
球状の頭部と円錐台状の胴部を有し、前記光源が前記球状の頭部の外面に載置される中
空の伝熱部材と、
前記光源と、前記球状の頭部の外面と前記円錐台状の外面に沿って覆う導光部材と、
前記伝熱部材の一部に設けられる円筒状の口金であって、円の中心を通る中心軸を有す
る口金を備え、
前記光源が前記中心軸上に位置する照明装置。
【００８０】
［５］光を発する光源と、
外面を有し、前記光源が前記外面に載置される中空の伝熱部材と、
前記光源と、前記外面の少なくとも一部とを、前記外面に沿って覆う導光部材と、
前記伝熱部材の一部に設けられる円筒状の口金であって、円の中心を通る中心軸を有す
る口金を備え、
前記光源が前記中心軸上に位置し、
前記伝熱部材の内部に設けられた蓄電池と、
を備える照明装置。
【００８１】
［６］前記導光部材は、接着部材を介して前記伝熱部材の前記外面に固定される［１］
及至［５］いずれかに記載の照明装置。
【００８２】
［７］前記伝熱部材の一部に設けられる円筒状の口金であって、円の中心を通る中心軸
を有する口金を備え、
前記光源が、前記中心軸上に位置する［１］に記載の照明装置。
【００８３】
［８］前記伝熱部材の一部に設けられる円筒状の口金であって、円の中心を通る中心軸
を有する口金を備え、
前記伝熱部材は、前記中心軸を中心として前記口金に対して回動可能である［２］及至
［６］いずれかに記載の照明装置。
【００８４】
［９］前記導光部材に接触し、前記導光部材を介して前記光源に対向して設けられる反
射部材をさらに備える［１］乃至［８］いずれかに記載の照明装置。
【００８５】
［１０］前記伝熱部材および前記導光部材を貫通する貫通孔を有する［１］乃至［９］
いずれかに記載の照明装置。
【００８６】
［１１］前記反射部材は、前記光源が発する光の一部を外部に透過する［１０］に記載
の照明装置。
【００８７】
［１２］前記導光部材は、前記光源が発する光を前記伝熱部材の外面に沿って導光する
とともに、前記光を外部に放出する［１］乃至［１１］いずれかに記載の照明装置。
【００８８】
［１３］前記頭部の外面と前記胴部の外面の境界近傍に設けられ、前記頭部から前記胴
部に進入する光の一部を前記胴部に反射し、光の一部を外部空間に透過する部材をさらに
備える［４］に記載の照明装置。
【符号の説明】
【００８９】
１０・・・グローブ部
１１・・・伝熱部材
１１a・・・頭部
１１b・・・胴部
１２・・・導光部材
１２a・・・頭部
１２b・・・胴部
１３・・・光源
１４・・・第１部材
１５・・・第２部材
１６a・・・第１貫通孔
１６b・・・第２貫通孔
２０・・・口金部
２１・・・装着部材
２２・・・電源回路
２３・・・ケース
２４a・・・第１嵌合部材
２４b・・・第２嵌合部材
２５・・・配線
３０・・・散乱マーク
４０・・・開口
１００、２００、３００・・・照明装置
【図１】
0006055458.tif 000002
【図２】
0006055458.tif 000003
【図３】
0006055458.tif 000004
【図４】
0006055458.tif 000005
【図５】
0006055458.tif 000006
【図６】
0006055458.tif 000007
【図７】
0006055458.tif 000008
【図８】
0006055458.tif 000009
【図９】
0006055458.tif 000010
【図１０】
0006055458.tif 000011